(57)【要約】【課題】ボールペンチップの後端部をチップホルダーに圧入装着し易いボールペンレフィル及びそれを用いた出没式ボールペンを簡単な構造で提供する。【解決手段】本発明は、出没式ボールペンであって、チップホルダーが、ボールペンチップの後端部に形成した小径部を圧入装着する圧入装着部と、前記圧入装着部よりも前方に、前記ボールペンチップの最大径部を保持するチップ保持部を延出するとともに、前記ボールペンチップの先端部が前記軸筒の先端開口部から突出した状態で、前記チップ保持部が、前記軸筒の先端開口部から突出することを特徴とする。【選択図】図４
2012091390.tif 000002
【特許請求の範囲】
【請求項１】
軸筒内に、インキ収容筒の先端部に、樹脂製のチップホルダーを圧入装着し、前記チップホルダーの先端部内に、ボールを回転自在に抱持した、金属製のボールペンチップを圧入装着してなるボールペンレフィルを、コイルスプリングにより後方に付勢して摺動可能に配設し、前記軸筒の先端開口部から前記ボールペンチップの先端部を出没可能な出没式ボールペンであって、前記チップホルダーが、前記ボールペンチップの後端部に形成した小径部を圧入装着する圧入装着部と、前記圧入装着部よりも前方に、前記ボールペンチップの最大径部を保持するチップ保持部を延出するとともに、前記ボールペンチップの先端部が前記軸筒の先端開口部から突出した状態で、前記チップ保持部が、前記軸筒の先端開口部から突出することを特徴とする出没式ボールペン。
【請求項２】
前記チップ保持部に、前記チップ保持部の先端面からの延びるスリットを設けたことを特徴とする請求項１に記載の出没式ボールペン。
【請求項３】
前記チップ保持部が、前記インキ収容筒に収容するインキ色と略同色としたことを特徴とする請求項１または２に記載の出没式ボールペン。
【請求項４】
前記ボールペンチップが、前記最大径部と小径部を繋ぐ連接面が、前記最大径部から小径部に向かって、徐々に縮径する傾斜状又は円弧状に形成してあることを特徴とする出没式ボールペン。
【発明の詳細な説明】
【技術分野】
【０００１】
本発明は、インキ収容筒の先端部に、チップホルダーを介してボールペンチップを装着したボールペンレフィルを用いた出没式ボールペンに関する。
【背景技術】
【０００２】
従来から、インキ収容筒の先端部にチップホルダーを装着し、前記チップホルダーの先端部内に、ボールを回転自在に抱持したボールペンチップを圧入装着してなるボールペンレフィルはよく知られている。
【０００３】
こうしたボールペンレフィルのチップホルダーとしては、特開平８−２０１８８号公報「ボールペン」等、ボールペンチップの後端部に小径部を形成し、この小径部をチップホルダーに圧入装着している。
【０００４】
また、こうしたボールペンレフィルのチップホルダーとして、特開平８−１０４０９３号公報「ボールペン」では、軸筒の先端からインキ色と同色のチップホルダーを露出させ、インキ色を確認可能としたボールペンが開示されている。
【先行技術文献】
【特許文献】
【０００５】
【特許文献１】特開平８−２０１８８号公報
【特許文献２】特開平８−１０４０９３号公報
【発明の開示】
【発明が解決しようとする課題】
【０００６】
しかし、ボールペンチップの後端部をチップホルダーに圧入装着するには、ボールペンチップの軸心と、チップホルダーの軸心を合わせて、圧入装着する必要があり、軸心が合わない場合や、どちらかが傾いた状態で圧入装着すると、装着不良などが発生し、インキ漏れの原因や、酷い場合には、ボールペンチップが外れてしまう恐れもあった。
【０００７】
本発明の目的は、ボールペンチップの後端部をチップホルダーに圧入装着し易いボールペンレフィルを用いた出没式ボールペンを簡単な構造で提供することにある。
【課題を解決するための手段】
【０００８】
上記目的を達成するために、本発明は、軸筒内に、インキ収容筒の先端部に、樹脂製のチップホルダーを圧入装着し、前記チップホルダーの先端部内に、ボールを回転自在に抱持した、金属製のボールペンチップを圧入装着してなるボールペンレフィルを、コイルスプリングにより後方に付勢して摺動可能に配設し、前記軸筒の先端開口部から前記ボールペンチップの先端部を出没可能な出没式ボールペンであって、前記チップホルダーが、前記ボールペンチップの後端部に形成した小径部を圧入装着する圧入装着部と、前記圧入装着部よりも前方に、前記ボールペンチップの最大径部を保持するチップ保持部を延出するとともに、前記ボールペンチップの先端部が前記軸筒の先端開口部から突出した状態で、前記チップ保持部が、前記軸筒の先端開口部から突出することを特徴とする。
【０００９】
また、前記チップ保持部に、前記チップ保持部の先端面からの延びるスリットを設けたことを特徴とする。
【００１０】
さらにまた、前記チップ保持部が、前記インキ収容筒に収容するインキ色と略同色としたことを特徴とする。
【００１１】
本願発明の請求項１の構成によれば、ボールペンレフィルは、前記チップホルダーが、前記ボールペンチップの後端部に形成した小径部を圧入装着する圧入装着部と、前記圧入装着部よりも前方に、前記ボールペンチップの最大径部を保持するチップ保持部を延出しているため、圧入装着前に、チップ保持部内によって、ボールペンチップとチップホルダーの軸心を合わせることができるので、確実に圧入装着を行うことができる。
【００１２】
さらにまた、前記ボールペンチップの大径部と小径部がチップ保持部内に保持されるため、小径部の長さを短くしても安定して保持することができ、結果としてボールペンチップ全体の長さを短くすることが可能となる。
【００１３】
さらにまた、前記チップ保持部が、前記軸筒の先端開口部から出没可能な出没式ボールペンであるため、筆記時において、軸筒の先端開口部の内壁とチップ保持部が当接するため、金属が接触する不快な音が発生し難く、樹脂同士の接触なので、書き味も向上する効果を奏する。
【００１４】
本願発明の請求項２の構成によれば、前記チップ保持部に、前記チップ保持部の先端面からの延びるスリットを複数箇所、設けることで、チップ保持部が撓み易く、ボールペンチップの挿入性を高め、組立性を向上することができる。
【００１５】
また、本願発明の請求項３の構成によれば、前記チップ保持部が、前記インキ収容筒に収容するインキ色と略同色とすることで、チップ先端部近傍にてインキ色を確認することができる。特に口金等の不透明な先端部を具備する軸筒や多色ボールペン等、複数種のインキ色を用いるボールペンにおいて、本発明の効果は顕著である。
【００１６】
また、本願発明の請求項４の構成によれば、前記ボールペンチップが、前記最大径部と小径部を繋ぐ連接面が、前記最大径部から小径部に向かって、徐々に縮径する傾斜状又は円弧状に形成してあるため、小径部がチップ保持部内に侵入後、スムーズにボールペンチップとチップホルダーの軸心を合わせ、組立性を向上することができる。
【００１７】
尚、本発明のボールペンチップには、ステンレス、アルミニウム、黄銅等、ボールペンチップとして従来から知られている金属、チップホルダーには、ポリプロピレン、ＰＯＭ、ＡＢＳ等のチップホルダーとして従来から知られている樹脂用いることができる。
【発明の効果】
【００１８】
本発明は、ボールペンチップの後端部をチップホルダーに圧入装着し易いボールペンレフィル及びそれを用いた出没式ボールペンを簡単な構造で提供することができた。
【図面の簡単な説明】
【００１９】
【図１】実施例１の出没式ボールペンを示す、一部省略した縦断面図である。
【図２】図１におけるボールペンチップの先端部を突出した状態を示す図である。
【図３】図１におけるボールペンレフィルの拡大断面図である。
【図４】図４における一部省略した要部拡大縦断面図である。
【図５】図１におけるチップホルダー拡大断面図である。
【発明を実施するための最良の形態】
【００２０】
次に図面を参照しながら、本発明のボールペンの実施形態を説明するが、本発明は以下の実施形態に限定されるものではない。
【００２１】
実施例１
図１から図５に示す実施例１の出没式ボールペン１は、前軸２と後軸３を螺着して得た軸筒本体内に収容したボールペンレフィル６を、コイルスプリング１５によって、後軸３の後端３ａ方向に向かって、摺動自在に付勢して収容してあり、後軸３に配設したノック体４を押圧することによって、回転カム５からなる従来から知られている回転カムによる出没機構を作動させ、ボールペンチップ９の先端部９ａを前軸２の先端開口部２ａから出没可能としてある。また、後軸３には、クリップ１６、前軸２にはグリップ１７を装着してある。
【００２２】
ボールペンチップ９の先端部９ａが突出した状態では、チップホルダー８のチップ保持部８ｂも、前軸２の先端開口部２ａから突出している。そのため、前軸２の先端開口部２ａの内壁には、チップ保持部８ｂが位置するために、前軸２の先端開口部２ａの内壁とボールペンチップ９が直接当接するよりも衝撃及び衝撃音を抑制することができ、書き味を向上することができる。
【００２３】
ボールペンレフィル６は、インキ収容筒７の先端部内に、ポリプロピレン製のチップホルダー８の後端部８ｃを圧入装着し、チップホルダー８の先端圧入部８ａに、ボール１０を回転自在に抱持したボールペンチップ９の後端部に形成した小径部９ｃを圧入装着してボールペンレフィル６を得ている。尚、インキ収容筒７の後端部には、尾栓１１を装着し、インキ収容筒７内には、黒色のボールペン用インキ１３及びインキ追従体１４を直に収容している。
【００２４】
また、チップホルダー８は、ボールペン用インキ１３と略同色の黒色で射出成形にて形成してあり、ボールペンチップ９の長さＮの後端部９ｃを圧入装着する圧入装着部８ａと、圧入装着部８ａよりも前方に、ボールペンチップ９の最大径部９ｂを保持する長さＭのチップ保持部８ｂを延出してある。さらに、チップホルダー８のチップ保持部８ｂには、スリット８ｅを複数箇所、形成し、圧入装着部８ａとチップ保持部８ｂを傾斜状の連接面８ｄに連設している。
【００２５】
ボールペンチップ９は、ステンレス鋼線材からなるチップ本体が、最大径部９ｂから先端部に向かって縮径し、先端部９ａに形成したボール抱持室の中央にインキ流通孔と、このインキ流通孔から放射状に延び、チップ後部孔に達しないインキ流通溝を有した底壁４に、φ１．０ｍｍのタングステンカーバイド製のボール１０を載置し、チップ先端部９ａを内側にかしめことにより、ボール１０の一部がチップ先端縁より突出するように回転自在に抱持している。また、後端部には、最大径部９ｂよりも小径の小径部９ｃを形成し、最大径部９ｂと小径部９ｃの外壁側の連接面９ｄを傾斜状に形成してある。
【００２６】
ボールペンレフィル６の組立方法は、先ず、ボールペンチップ９の小径部９ｃをチップホルダー８の圧入装着部８ａに圧入装着し、その後、チップホルダー８の後端部８ｃをインキ収容筒７に圧入装着する。この時、ボールペンチップ９とチップホルダー８の軸心がずれていても、ボールペンチップ９の小径部９ｃがチップ保持部８ｂ内に進入すれば、最大径部９ｂと小径部９ｃの外壁側の傾斜状の連接面９ｄによって、チップ保持部８ｂによって矯正され、圧入装着部８ａに導かれるため、確実に圧入装着を行うことができる。また、チップ保持部８ｂの外面を保持してインキ収容筒７を圧入装着することができ、ボールペンチップ９への影響を抑制することができるとともに、チップホルダー８が圧入装着部８ａとチップ保持部８ｂとの両方で、ボールペンチップ９を保持しているため、ボールペンチップ９の全長Ｌが短くても、安定して保持することができる。
【産業上の利用可能性】
【００２７】
本発明の出没式ボールペンは、インキの種類に限定されることなく、広く実施可能である。
【符号の説明】
【００２８】
１  出没式ボールペン
２  前軸
３  後軸
４  ノック体
５  回転カム
６  ボールペンレフィル
７  インキ収容筒
８  チップホルダー
８ａ  圧入装着部
８ｂ  チップ保持部
８ｃ  後端部
８ｄ  連接面
８ｅ  スリット
９  ボールペンチップ
９ａ  先端部
９ｂ  最大外径部
９ｃ  小径部
９ｄ  連接面
１０  ボール
１３  ボールペン用インキ
１４  インキ追従体
１５  コイルスプリング
【図１】
2012091390.tif 000003
【図２】
2012091390.tif 000004
【図３】
2012091390.tif 000005
【図４】
2012091390.tif 000006
【図５】
2012091390.tif 000007